(57)【要約】【課題】複数色の発光ダイオードを効率よく用いて表示シートの文字等を発光させるための白色光と有色光とを切り替え点灯させることの可能な表示シートのバックライトを提供すること。【解決手段】発光体は、加法混色により白色となる３色の発光ダイオード３１，３２，３３からなり、加法混色の最小単位である発光ダイオード群３０を構成する。一群の発光ダイオード３１，３２，３３は、各色同数の発光ダイオード３１，３２，３３を有すると共に、これら発光ダイオード３１，３２，３３を六角形以上の多角形状に配置する。そして、文字、図形又は記号が表示された表示シートを、その裏側から発光ダイオード３１，３２，３３で照らすことにより文字、図形又は記号を透過点灯させる。【選択図】    図３
2004198879.tif 000002
【特許請求の範囲】
【請求項１】
シート（５）をその裏側から発光体で照らすバックライトであって、この発光体が加法混色により白色となる３色の発光ダイオード（３１，３２，３３）からなり、前記加法混色の最小単位である発光ダイオード群（３０）を構成する一群の前記発光ダイオード（３１，３２，３３）が各色同数の発光ダイオード（３１，３２，３３）を有すると共に、これら発光ダイオード（３１，３２，３３）を六角形以上の多角形状に配置したことを特徴とするシートのバックライト。
【請求項２】
前記発光ダイオード（３１，３２，３３）の３色が同じ色の順番で配置されていることを特徴とする請求項１記載のシートのバックライト。
【請求項３】
前記発光ダイオード（３１，３２，３３）の３色がＲＧＢよりなることを特徴とする請求項１又は２のいずれかに記載のシートのバックライト。
【請求項４】
前記一群の発光ダイオード（３１，３２，３３）がテーパー状の反射面（Ｓ）により囲まれていることを特徴とする請求項１〜３のいずれかに記載のシートのバックライト。
【請求項５】
前記シート（５）が、文字、図形又は記号（６）（以下、「文字等」）が表示された表示シート（５）であり、この表示シート（５）をその裏側から前記発光ダイオード（３１，３２，３３）で照らすことにより前記文字等（６）を透過点灯させるものであることを特徴とする請求項１〜４のいずれかに記載の表示シートのバックライト。
【請求項６】
複数の区画（７ａ〜７ｃ）を有し、各区画（７ａ〜７ｃ）ごとに前記発光ダイオード群（３０）を設けたことを特徴とする請求項１〜５のいずれかに記載の表示シートのバックライト。
【発明の詳細な説明】
【０００１】
【発明の属する技術分野】
本発明は、例えば、スロットマシン、パチンコ機、ピンボールゲーム機、アレンジボールゲーム機のような遊技機等や、店内・店頭サイン、フィルム等の透過検査機等に用いられるシートをその裏側から照らすバックライトに関するものである。
【０００２】
【従来の技術】
従来、ルーレット等の回転する表示シートのバックライトにおける発光体としては、特許文献１にみられるように、白熱灯や白色発光ダイオード等が用いられていた。特に白色発光ダイオードは光源色がフラットであることから、表示シートに描く文字等の色を決定するにあたり、光源色を考慮する必要がないという利点がある。
【０００３】
【特許文献１】
特開平１０−３２８３５０号公報
【０００４】
ただ、白色発光ダイオードの点滅のみでは、表示シートの発光に変化がなく単調である。そこで、各区画に有色発光ダイオードを配置すれば、点滅発光色に変化を与えることができる。しかし、表示シートの発光色を考慮すれば、白色発光ダイオードも併用せざるを得ず、非効率的である。また、コストの点からも有色ダイオードを用いて加色混法により白色を構成することが望ましい。
【０００５】
【発明が解決しようとする課題】
かかる従来の実状に鑑みて、本発明は、複数色の発光ダイオードを効率よく用いてシートを白色に灯火させることの可能なシートのバックライトを提供することを目的とする。
【０００６】
【課題を解決するための手段】
上記目的を達成するため、本発明に係る表示シートのバックライトの特徴は、シートをその裏側から発光体で照らすバックライトであって、この発光体が加法混色により白色となる３色の発光ダイオードからなり、前記加法混色の最小単位である発光ダイオード群を構成する一群の前記発光ダイオードが各色同数の発光ダイオードを有すると共に、これら発光ダイオードを六角形以上の多角形状に配置したことにある。六角以上の多角形状であれば、より広い範囲へ均一に光を拡散させることができるからである。
【０００７】
ここに、前記発光ダイオードの３色が同じ色の順番で配置されていることが望ましい。多角形状に発光ダイオードを配置した際、同じ色順列が繰り返されることで、より均一な色の混合が可能だからである。また、前記発光ダイオードの３色がＲＧＢよりなることが望ましい。そのような構成とすることにより、点滅発光色に変化を与えることができる。さらに、前記一群の発光ダイオードがテーパー状の反射面により囲まれていることで、反射による照射効果が得られることで、より均一に光源色の混色が可能となり、効率よくシートを白色に灯火させることができる。
【０００８】
また、前記シートが、文字等が表示された表示シートであり、この表示シートをその裏側から前記発光ダイオードで照らすことにより前記文字等を透過点灯させるものである。
【０００９】
バックライトは複数の区画を有し、各区画ごとに前記発光ダイオード群を設けたことにより、複数の表示をさせることができる。
【００１０】
【発明の実施の形態】
次に、添付図面を参照しながら、本発明をさらに詳しく説明する。
図１はスロットマシンに用いられるリールユニット１の斜視図である。このリールユニット１はフレーム２に符号３ａ〜３ｃで示す３つのリールを回転自在に支持してなる。各リール３ａ〜３ｃはそれぞれステッピングモーター及びエンコーダーにより回転制御されるリールドラム４に文字等６を印刷した表示シート５を貼り付けることにより構成してある。
【００１１】
各リールドラム４の内側にはバックライトユニット７を配置してあり、符号７ａ〜７ｃで示す３つの区画に収納される発光ダイオードにより表示シート５を裏側から照らし、上記文字等６を透過表示させる。各文字等６のピッチは先の区画７ａ〜７ｃのピッチに対応しており、バックライトユニット７の対応部のみ図示しないスロットマシンの窓部に表示される。
【００１２】
各リール３ａ〜３ｃはそれぞれ個別に回転制御が可能で、またそれぞれに対応させて設けたボタンを押圧することで、個別に停止させることができる。そして、中区画７ｂの位置に停止した文字等６の組み合わせが所定の組み合わせとなった際に、メダルや景品を発行する。
【００１３】
図１〜３に示すように、バックライトユニット７は、大略、ケース１０と、基板２０と、発光ダイオード群３０と、ケース１０上に順次配置される光拡散シート８とよりなる。ケース１０は、取付部１１を介してフレーム２に取り付けられており、角錐台状に形成された囲い１２の内部を山形に組み合わせた仕切り１３で２カ所において仕切り、３つの区画７ａ〜７ｃを形成してある。ケース１０は光を反射しやすいように白色等のプラスチック材料で形成され、各区画７ａ〜７ｃの内部は光をより拡散させ易いように角錐台状の反射面Ｓとして形成されている。
【００１４】
表示シート５の裏面には、先の文字等６を多色刷りにより印刷してあり、さらに無地版で白色（いわゆる白ベタ）を刷り込んである。この白ベタによって光の拡散はさらに促進され、後述の発光ダイオード配列と相まってより均一な光源色の混合を得ることができる。
【００１５】
本実施例における光源としては、３種のＲＧＢ発光ダイオード３１，３２，３３を組み合わせた発光ダイオード群３０を各区画７ａ〜７ｃ毎に設けている。ＲＧＢ発光ダイオード３１，３２，３３は、それぞれ各発光ダイオード群３０において各２個ずつ設けられ、平面視で六角形をなすよう同方向で同パターンの配列が繰り返されて基板２０に取り付けてある。ＲＧＢの各発光ダイオード３１，３２，３３は、図示しない制御装置により個別に点灯制御が可能となっている。
【００１６】
ＲＧＢ発光ダイオード３１，３２，３３の各特性は、加法混色により混合色が白色光となるように色度図の特性を参照して適宜選択される。また、各発光ダイオードは個別点灯が可能なので、単独点灯、二色点灯、三色点灯の合計７通りの色表現が可能である。二色点灯でもより均一な光源色の混合を得ることができる。また、三色混合の場合も、図３、４に示すように、発光ダイオード群３０を平面視で六角形状に配置し、同じ色配列でＲＧＢ発光ダイオード３１，３２，３３を順次繰り返して並べることにより、より均一な光源色の混合を得ることができる。なお、本実施形態では、発光ダイオード群３０の六角形が区画７ａ〜７ｃの並ぶ方向に直交する方向に対してやや扁平となっている。
【００１７】
ここで、本発明を図７に示す他の配列と比較する。図７（ａ）では発光ダイオード群３０において、横に並べられた３色の発光ダイオード３１，３２，３３が３列にわたり並べられ、合計で９個が当該群に含まれている。当該並べ方では、正方形の４辺方向それぞれから見ると、異なる色配列となっており、色の混合に規則性がない。図７（ｂ）の配列も同様である。これに対し、図３，４に示す本発明では、同じ配列規則で発光ダイオード３１，３２，３３が並べられているので、より均一な色混合が可能となる。また、各発光ダイオード３１，３２，３３間にある程度の距離をもたせてもこの均一な混合は維持できるので、広範な部分を均一に点灯させることが可能となる。
【００１８】
図１に示すリールユニット１の使用に際しては、図示しない投入口にコインを投入することで、各リール３ａ〜３ｃが回転を始める。このとき、ゲームの種類やチャンスによって先の発光ダイオード３１，３２，３３をそれぞれ点滅させるパターンを変化させる。各発光ダイオード群３０毎に全てのＲＧＢ発光ダイオード３１，３２，３３を点灯させることで白色光を得られ、各区画７ａ〜７ｃごとに順次点灯、消灯を繰り返し行うことで、流れるような演出を行える。また、一部分の発光ダイオードを点灯させないことで、色の変化を付与することができる。発光ダイオードの点滅は各リール３ａ〜３ｃの静止前後のそれぞれにおいて変化させてもよい。
【００１９】
次に、図５を参照しながら本発明の第二実施形態について説明する。本実施形態では、ケース４１内を仕切り４３にて平面視において正方形状に４分割し、ＲＧＢ発光ダイオード３１，３２，３３を組み合わせた発光ダイオード群３０を各区画に２組ずつ用いている。ＲＧＢ発光ダイオード３１，３２，３３は、それぞれ各発光ダイオード群３０において平面視で正六角形をなすように基板２０に取り付けてあり、ＲＧＢ発光ダイオード３１，３２，３３は、対角状に並べられている。本実施形態のように正方形状に仕切ることで第一実施形態よりも、反射面ＳとＲＧＢ発光ダイオード３１，３２，３３との距離が近づくことになり、さらに十分混合されることとなり、かつ、鮮明な色彩を表すことが可能となる。
【００２０】
最後に、本発明のさらに他の実施形態について説明する。なお、上述と同様の部材には同様の符号を附してある。
【００２１】
本実施形態では、ＲＧＢ発光ダイオード３１，３２，３３を図６に示すように九角形状に配置し、各ＲＧＢ発光ダイオード３１，３２，３３を順番に並べている。九角形以上の多角形状となるように、各ＲＧＢ発光ダイオード３１，３２，３３を配置してもよく、また、正多角形状となるよう配置するのが望ましい。
【００２２】
上述の発光ダイオード３１，３２，３３の各特性は、加法混色により混合色が白色光となるように色度図の特性を参照して適宜選択すればよい。
【００２３】
上記実施形態では、本発明をスロットマシンについて実施した。しかし、本発明のバックライトは、例えば、パチンコ機、ピンボールゲーム機、アレンジボールゲーム機のような遊技機等に用いてもよく、遊技機以外の同様の構成、例えばフィルム検査機等について実施することも可能である。
【００２４】
より均一な光拡散を得る場合は、図２に破線で示す光拡散シート８を設けてもよい。図２において、光拡散シート８はそれぞれの上下端においてほぼ直角に折り曲げられた折り曲げ部をケース１０の上下にそれぞれ係止すると共に図示しない粘着テープで固定してある。光拡散シート８と発光ダイオード群３０とは適度に離隔されて、二次元方向に対し光をより広く拡散に拡散することができる。
【００２５】
【発明の効果】
このように、上記本発明に係る表示シートのバックライトの特徴によれば、複数色の発光ダイオードを組み合わせて点灯させ、加法混色により白色光を得るので、発光ダイオードを効率よく用いることができる。また、一部の発光ダイオードを点灯させることで、有色光をも得ることができるようになった。そして、六角以上の多角形状を用いることにより、より広い範囲へ均一に光を拡散させることができ、発光部分の輝度及び広さを適切に設定できるようになった。
【００２６】
なお、特許請求の範囲の項に記入した符号は、あくまでも図面との対照を便利にするためのものにすぎず、該記入により本発明は添付図面の構成に限定されるものではない。
【図面の簡単な説明】
【図１】リールユニットの斜視図である。
【図２】バックライトユニットの縦断面図である。
【図３】バックライトユニットの平面図である。
【図４】発光ダイオード群における各発光ダイオードの配置を示す平面図である。
【図５】本発明の第二実施形態を示すバックライトユニットの平面図である。
【図６】本発明の第三実施形態における発光ダイオード群の各発光ダイオードの配置を示す平面図である。
【図７】本発明に対する比較例を示す発光ダイオード配列の平面図である。
【符号の説明】
１：リールユニット、２：フレーム、３ａ〜ｃ：リール、４：リールドラム、５：表示シート、５ｘ：折り曲げ部、６：文字等、７：バックライトユニット、７ａ：上区画、７ｂ：中区画、７ｃ：下区画、８：光拡散シート、１０：ケース、１１：取付部、１２：囲い、１３：仕切り、１４：係止片、２０：基板、３０，３０’：発光ダイオード群、３１：Ｒ発光ダイオード、３２：Ｇ発光ダイオード、３３：Ｂ発光ダイオード、４０：表示ユニット、４１：ケース、４２：囲い、４３：仕切り、４５：表示シート、Ｓ：反射面
【図１】
2004198879.tif 000003
【図２】
2004198879.tif 000004
【図３】
2004198879.tif 000005
【図４】
2004198879.tif 000006
【図５】
2004198879.tif 000007
【図６】
2004198879.tif 000008
【図７】
2004198879.tif 000009